(57)【特許請求の範囲】
【請求項１】
斜め下方向への第１折曲部、横方向への第２折曲部、斜め上方向への第３折曲部及び横方向への第４折曲部を、前記第１折曲部と前記第２折曲部間並びに前記第３折曲部と前記第４折曲部間の各縦線部を他の部分よりも低位に形成して設けた凹陥部を１又は複数有し、前記縦線部の両端の立上り部に傾斜部を設けると共に、前記縦線部間の横線部の裏面に横滑りストッパーを突設したプラスチック製のネット構成材を、前記凹陥部を他の前記ネット構成材の前記凹陥部に嵌め込むことによって多数連結して構成されるプラスチック製ネットコンベア。
【請求項２】
斜め下方向への第１折曲部、横方向への第２折曲部、斜め上方向への第３折曲部及び横方向への第４折曲部を、前記第１折曲部と前記第２折曲部間並びに前記第３折曲部と前記第４折曲部間の各縦線部を他の部分よりも低位に形成して設けた凹陥部を１又は複数有し、前記縦線部の両端の立上り部を傾斜させると共に、前記縦線部間の横線部の裏面に横滑りストッパーを突設したプラスチック製のネット構成材を、前記凹陥部を他の前記ネット構成材の前記凹陥部に嵌め込むことによって多数連結して構成されるプラスチック製ネットコンベア。
【請求項３】
前記立上り部の上端に嘴状の上昇ストッパーを設けた請求項１又は２に記載のプラスチック製ネットコンベア。
【請求項４】
請求項１又は２に記載のネット構成材で、前記凹陥部を１つ有するものと２つ有するものを組み合わせて連結して構成されるプラスチック製ネットコンベア。
【発明の詳細な説明】
【０００１】
【発明の属する技術分野】
本発明は、プラスチック製ネットコンベア、より詳細には、各種食品や機械の生産ライン、加工ライン、洗浄ライン等における搬送ラインを構成するプラスチック製のネットコンベアに関するものである。
【０００２】
【従来の技術】
上記ネットコンベアとしては、一般に、ステンレス製の線材を折曲した折曲線材を連結していくことにより構成されるものが用いられている。その場合の折曲線材は、例えば特許第２７８７２６７号公報に示されるように、線材を縦方向、水平方向、縦方向、水平方向の順に折曲して成る凹陥部２１を横に何個か連結したものである。
【０００３】
上記折曲線材は、その凹陥部２１を別の折曲線材の凹陥部２１に嵌め入れることにより多数連結され、以てネットコンベアが構成される。
【０００４】
上記従来のステンレス等の金属製のネットコンベアの場合、湾折曲部に金属疲労が起きやすく、その部分が折損して食品に混入することがある。また、金属線材の場合は、搬送製品が付着しやすいので、それの剥離を良くするためにポリテトラフルオロエチレンコーティングを施したり、耐久性の向上や金属摩耗粉を減らすために、チッ化処理等の表面加工を施すが、その皮膜が経時的に
脱落し、食品に混入して異色発色を引き起こす虞もある。
【０００５】
金属線材製のネットコンベアの場合はこのような問題があるため、これをプラスチック製とすることが考えられている。例えば、特開平９−３１５５３６号公報や同１０−３３８３２６号公報記載のものが知られている。
【０００６】
しかるに、これらのものは、両端部のベルト構成単位片２つの重合部にロッドを差し込むことによって連結していく構成のため、ロッドの差込孔内等の隠れた部分が存在することになり、その部分の雑菌消毒を十分に行ない得ない虞があり、食品搬送用のネットコンベアとして大きな問題となる。
【０００７】
【発明が解決しようとする課題】
上述したように従来の金属線材製のネットコンベアの場合には、異物混入や異色発生の問題があり、プラスチック製のネットコンベアの場合には部分的に殺菌消毒を行ない得ない個所が生ずるという問題があったので、本発明はそのような問題のない、即ち、十分な強度を有していて、長年使用しても異物混入とか異色発生とかいった問題を惹起せず、また、全体を余す所なく殺菌消毒することができ、しかも湾曲ルートの構成も可能で、食品工場等における食品搬送用として最適なプラスチック製ネットコンベアを提供することを課題とする。
【０００８】
【課題を解決するための手段】
本発明は、斜め下方向への第１折曲部、横方向への第２折曲部、斜め上方向への第３折曲部及び横方向への第４折曲部を、前記第１折曲部と前記第２折曲部間並びに前記第３折曲部と前記第４折曲部間の各縦線部を他の部分よりも低位に形成して設けた凹陥部を１又は複数有し、前記縦線部の両端の立上り部に傾斜部を設けると共に、前記縦線部間の横線部の裏面に横滑りストッパーを突設したプラスチック製のネット構成材を、前記凹陥部を他の前記ネット構成材の前記凹陥部に嵌め込むことによって多数連結して構成されるプラスチック製ネットコンベア、を以て上記課題を解決した。
【０００９】
本発明はまた、斜め下方向への第１折曲部、横方向への第２折曲部、斜め上方向への第３折曲部及び横方向への第４折曲部を、前記第１折曲部と前記第２折曲部間並びに前記第３折曲部と前記第４折曲部間の各縦線部を他の部分よりも低位に形成して設けた凹陥部を１又は複数有し、前記縦線部の両端の立上り部を傾斜させると共に、前記縦線部間の横線部の裏面に横滑りストッパーを突設したプラスチック製のネット構成材を、前記凹陥部を他の前記ネット構成材の前記凹陥部に嵌め込むことによって多数連結して構成されるプラスチック製ネットコンベア、を以て上記課題を解決した。
【００１０】
【発明の実施の形態】
本発明の好ましい実施の形態を添付図面に依拠して説明する。図１は、本発明に係るプラスチック製のネットコンベアを示すもので、このネットコンベアは、図２に示すネット構成材１の１種類のみを以て構成したものである。図２の（Ａ）はネット構成材１の平面図、（Ｂ）は正面図、（Ｃ）は底面図、（Ｄ）は側面図である。
【００１１】
ネット構成材１は、図２（Ａ）において斜め下方向への第１折曲部２、横方向への第２折曲部３、斜め上方向への第３折曲部４及び横方向への第４折曲部５を設けることによって形成される凹陥部６を２つ並設し、両端にフック部７を設けたものである。
【００１２】
各折曲部２〜５は、同一平面上において折曲状態とされる訳ではなく、深さを持った折曲状態とされる。即ち、第１折曲部２と第２折曲部３間の縦線部８、及び、第３折曲部４と第４折曲部５間の縦線部９は他の部分（横線部１０、１０ａ、１１）よりも、低位に形成される。従って、縦線部８、９の両端には、横線部１０、１０ａ、１１につながる立上り部１２が存在する。
【００１３】
ネット構成材１は、適度な弾性及び強度と耐久性を持たせるために、好ましくは、アセタール樹脂、ポリプロピレン又はナイロン樹脂製とされ、強度保持上その太さは、通例４〜５ｍｍ程度とされる。この場合、搬送時における搬送面に段差が生じないことが要求される。
【００１４】
即ち、図８に示すように、縦線部８、９をストレートに立上げて立上り部１２を設けた場合、コンベアを弛ませた状態で平板上に置いたときには、各横線部１０、１０ａ、１１の高さが一致して搬送面は段差なく平坦になるが、運転時に緊張状態にされると、端部の折返し点において下流側の横線部１０が上流側の縦線部８、９上に落ち、緊張状態が続く限りその状態を維持する。そのため、搬送面に段差Ａによる凹凸ができ、製品が傾いたり、脱落したりする原因となる。
【００１５】
このような下流側の横線部１０、１１の上流側の立上り部１２に対する上下動によって搬送面に段差Ａが生ずることを防止するために、当然のことながら立上り部１２をなくす（横線部１０、１１の直径と等しくする）ことが考えられる（図９参照）。しかし、段差Ａをなくしてしまうと、遊びがなくなってしまうためにネット構成部材１間の自由度がなくなり、搬送面を湾曲させることができなくなってしまう。
【００１６】
このような問題を起こさないようにするため、本発明では、立上り部１２に傾斜部１３を設けることとしている。そのようにした場合、ネットコンベアにテンションがかかると、下流側の横線部１０、１１が上流側の立上り部１２の傾斜部１３を滑り上がり、同じ高さになる（図４における仮想線参照）。かくして、運転時において搬送面は平坦になり、凹凸が生ずることによる不都合は回避される。
【００１７】
図５に示す例は、立上り部１２自体を傾斜させたもので、下流側の横線部１０、１１が当接する立上り部１２の内面が傾斜しているので、傾斜部１３の場合と同じ作用効果が得られる。
【００１８】
図６に示す実施例は図４に示した実施例の変形で、立上り部１２の上端に、内側に嘴状に突出するストッパー１４を設けたものである。通常のテンション下においては、横線部１０、１１が上流側の立上り部１２を越えて飛び出るということはないが、このストッパー１４を設けた場合は、横線部１０、１１の飛び出しにより凹凸が生ずることが確実に防止される。図５に示した実施例についても、このストッパー１４を設けることができる。
【００１９】
好ましくは、横線部１０、１１の裏面に、下方に突出する横滑りストッパー１５が設置される。この横滑りストッパー１５は、縦線部８、９が当たることによって、組立後における各ネット構成部材１の横方向への動きが規制される。
【００２０】
図７に示すものは、凹陥部６を２つ有するネット構成部材１と、それを１つ有するネット構成部材１ａとを組み合わせて連結していくものである。この場合、図７から明らかなように、１列ごとに、凹陥部を１つ有するネット構成部材１ａの位置が変わる。即ち、図示した例では、最上例は右側、２列目は左側、そして３列目は右側となっている。
【００２１】
【発明の効果】
本発明は上述した通りであるので、適度な強靭性と弾力性を有するプラスチックで成形し得るネット構成部材で容易に構成することができ、しかも、長年使用しても異物混入とか異物発生とかいった問題を惹起せず、また、部材間に隠れる個所がないので全体を余す所なく殺菌消毒することができ、しかも湾曲ルートの構成も可能で、食品工場等における食品搬送用として最適なネットコンベアを提供することができる効果がある。
【図面の簡単な説明】
【図１】本発明に係るネットコンベアの構成例を示す図である。
【図２】本発明に係るネットコンベアを構成するネット構成材の平面、正面、底面及び側面を示す図である。
【図３】図２（Ａ）におけるＡ−Ａ線断面図である。
【図４】本発明に係るネットコンベアにおけるネット構成材の要部及び連結状態を示す図である。
【図５】本発明に係るネットコンベアにおける他のネット構成材の要部及び連結状態を示す図である。
【図６】本発明に係るネットコンベアにおける更に他のネット構成材の要部及び連結状態を示す図である。
【図７】本発明に係るネットコンベアの他の構成例を示す図である。
【図８】本発明によらない場合の欠点を示す図である。
【図９】本発明によらない場合の欠点を示す図である。
【符号の説明】
１    ネット構成材
１ａ  ネット構成材
２    第１折曲部
３    第２折曲部
４    第３折曲部
５    第４折曲部
６    凹陥部
７    フック部
８    縦線部
９    縦線部
１０    横線部
１０ａ  横線部
１１    横線部
１２    立上り部
１３    傾斜部
１４    ストッパー
１５    横滑りストッパー
【図１】
0003949925.tif 000002
【図２】
0003949925.tif 000003
【図３】
0003949925.tif 000004
【図４】
0003949925.tif 000005
【図５】
0003949925.tif 000006
【図６】
0003949925.tif 000007
【図７】
0003949925.tif 000008
【図８】
0003949925.tif 000009
【図９】
0003949925.tif 000010